(57)【要約】【課題】  両側部における掃除効率が向上し、騒音の低減した真空掃除機の吸入口組立体を提供する。【解決手段】  本発明に係る真空掃除機の吸入口組立体は、第１および第２の吸入口を有する下部ハウジングと、前記下部ハウジングに結合され、前記下部ハウジングとの結合時に前記第１の吸入口と前記第２の吸入口との連結通路を形成する上部ハウジングと、前記連結通路に沿って設けられる騒音低減ユニットと、を備えることを特徴とする。【選択図】      図４
2006130290.tif 000002
【特許請求の範囲】
【請求項１】
第１および第２の吸入口を有する下部ハウジングと、
前記下部ハウジングに結合され、前記下部ハウジングとの結合時に前記第１の吸入口と前記第２の吸入口との連結通路を形成する上部ハウジングと、
前記連結通路に沿って設けられる騒音低減ユニットと、
を備えることを特徴とする真空掃除機の吸入口組立体。
【請求項２】
前記上部ハウジングは、
流路カバーと、
前記流路カバーの上側において前記下部ハウジングと結合される上部カバーと、
を備えることを特徴とする請求項１に記載の真空掃除機の吸入口組立体。
【請求項３】
前記騒音低減ユニットは、
複数の第１の櫛状孔を有する第１の騒音低減リブと、
複数の第２の櫛状孔を有する第２の騒音低減リブと、
を備えることを特徴とする請求項２に記載の真空掃除機の吸入口組立体。
【請求項４】
前記第１および第２の騒音低減リブは、互いに対称形状を有することを特徴とする請求項３に記載の真空掃除機の吸入口組立体。
【請求項５】
前記連結通路の後壁の中心には空気排出口が形成され、
前記第１の騒音低減リブは、前記空気排出口の右側方向に前記連結通路の後壁に沿って設けられ、
前記第２の騒音低減リブは、前記空気排出口の左側方向に前記連結通路の後壁に沿って設けられることを特徴とする請求項３に記載の真空掃除機の吸入口組立体。
【請求項６】
前記第１および第２の騒音低減リブは、
前記空気排出口の右側および左側方向に行くほど高さ（Ｈ２，Ｈ３）が低くなり、
前記第１および第２の吸入口方向に曲げられることを特徴とする請求項５に記載の真空掃除機の吸入口組立体。
【請求項７】
前記第１および第２の櫛状孔は、
前記空気排出口から出る集塵空気の流れ方向に傾斜角（θ１、θ２）を有し、
前記傾斜角（θ１、θ２）は、４０°以上７０°以下であることを特徴とする請求項３に記載の真空掃除機の吸入口組立体。
【請求項８】
前記第１および第２の櫛状孔は、前記第１および第２の櫛状孔の相互間隔（Ｄ１、Ｄ２）の０．５倍乃至１．０倍の幅（Ｗ１、Ｗ２）を有することを特徴とする請求項３に記載の真空掃除機の吸入口組立体。
【請求項９】
前記連結通路の両側に設けられる第１および第２の吸音部材をさらに有することを特徴とする請求項３乃至請求項８のいずれか１つに記載の真空掃除機の吸入口組立体。
【請求項１０】
前記第１の吸音部材は、前記第１の騒音低減リブと前記連結通路との間に設けられ、
前記第２の吸音部材は、前記第２の騒音低減リブと前記連結通路との間に設けられることを特徴とする請求項９に記載の真空掃除機の吸入口組立体。
【請求項１１】
前記第１および第２の吸音部材は、
前記空気排出口の右側および左側方向に行くほど高さ（Ｈ５、Ｈ６）が低くなり、
前記第１および第２の吸入口方向に曲げられることを特徴とする請求項９に記載の真空掃除機の吸入口組立体。
【請求項１２】
第１および第２の吸音部材は、多孔性材質で形成されることを特徴とする請求項１０または請求項１１に記載の真空掃除機の吸入口組立体。
【発明の詳細な説明】
【技術分野】
【０００１】
本発明は、真空掃除機に関し、より詳しくは、被掃除面上の塵埃を吸入する真空掃除機の吸入口組立体に関する。
【背景技術】
【０００２】
通常、真空掃除機は、本体に内蔵された真空源の駆動で発生する吸入力を用いて被掃除面上の塵埃を吸入する装置である。このような真空掃除機は、真空源が内蔵された掃除機本体、被掃除面に対して塵埃を吸入する部分である吸入口組立体、および前記吸入口組立体から吸入された塵埃を前記掃除機本体へ案内する延長流路を含む。
【０００３】
一般に、吸入口組立体は、塵埃を吸入することができるように吸入力が伝達される吸入口が吸入口組立体の中央に設けられる。従って、吸入口が設けられた中央部は、吸入力が強いが、両側部に行くほど吸収力は低下する。これにより、吸入口が設けられた中央部においては掃除の効率が良いが、両側部における掃除効率が劣るという問題点が発生する。
【０００４】
このような問題点を解決するため、米国特許第６，５３２，６２２に記載のように、吸入口を吸入口組立体の両側部に２つ形成する方法が提案されている。しかし、吸入口を吸入口組立体の両側部に２つ形成する場合、２つの吸入口から流入された集塵空気が延長管コネクタと連結される狭い空気排出口に一緒に集まり、これによる流速の増加と、相互衝突時に発生する渦流により騒音が発生するという問題点があった。
【特許文献１】米国特許第６，５３２，６２２号
【発明の開示】
【発明が解決しようとする課題】
【０００５】
本発明は、上記のような問題点を解決するためになされたものであって、本発明の目的は、両側部における掃除効率が向上した真空掃除機の吸入口組立体を提供することにある。
【０００６】
本発明の他の目的は、騒音の低減した真空掃除機の吸入口組立体を提供することにある。
【課題を解決するための手段】
【０００７】
前述のような目的を達成するための本発明に係る真空掃除機の吸入口組立体は、第１および第２の吸入口を有する下部ハウジングと、前記下部ハウジングに結合され、前記下部ハウジングとの結合時に前記第１の吸入口と前記第２の吸入口との連結通路を形成する上部ハウジングと、前記連結通路に沿って設けられる騒音低減ユニットと、を備えることを特徴とする。ここで、前記上部ハウジングは、流路カバーと、前記流路カバーの上側において前記下部ハウジングと結合される上部カバーと、を備えることが好ましい。
【０００８】
前記騒音低減ユニットは、複数の第１の櫛状孔を有する第１の騒音低減リブと、複数の第２の櫛状孔を有する第２の騒音低減リブとを備え、また、前記第１および第２の騒音低減リブは、互いに対称形状を有することが好ましい。
【０００９】
ここで、前記連結通路の後壁の中心には空気排出口が形成され、前記第１の騒音低減リブは、前記空気排出口の右側方向に前記連結通路の後壁に沿って設けられ、前記第２の騒音低減リブは、前記空気排出口の左側方向に前記連結通路の後壁に沿って設けられることが好ましい。
【００１０】
また、前記第１および第２の騒音低減リブは、前記空気排出口の右側および左側方向に行くほど高さ（Ｈ２、Ｈ３）が低くなり、前記第１および第２の吸入口方向に曲げられることが好ましい。
【００１１】
前記第１および第２の櫛状孔は、前記空気排出口から出る集塵空気の流れ方向に傾斜角（θ１、θ２）を有し、前記傾斜角（θ１、θ２）は、４０°以上７０°以下であることが好ましい。
【００１２】
また、前記第１および第２の櫛状孔は、前記第１および第２の櫛状孔の相互間隔（Ｄ１、Ｄ２）の０．５倍乃至１．０倍の幅（Ｗ１、Ｗ２）を有することが好ましい。
【００１３】
さらに、本発明の真空掃除機の吸入口組立体は、前記連結通路の両側に設けられる第１および第２の吸音部材をさらに有することが好ましい。
【００１４】
ここで、前記第１の吸音部材は、前記第１の騒音低減リブと前記連結通路との間に設けられ、前記第２の吸音部材は、前記第２の騒音低減リブと前記連結通路との間に設けられることが好ましい。
【００１５】
また、前記第１および第２の吸音部材は、前記空気排出口の右側および左側方向に行くほど高さ（Ｈ５、Ｈ６）が低くなり、前記第１および第２の吸入口方向に曲げられることが好ましい。ここで、第１および第２の吸音部材は、多孔質性材質で形成されることが好ましい。
【発明の効果】
【００１６】
以上のような本発明に係る真空掃除機の吸入口組立体によれば、第一、互いに離間して形成される第１の吸入口と第２の吸入口とにより、吸入口組立体の中央部および両側部において吸入力が均一に伝達され、集塵効率を向上する。
【００１７】
第二、騒音低減ユニットにより、集塵空気が空気排出口に一緒に集まり、これによる流速の増加および相互衝突による渦流の発生が防止されることで騒音が低減され、静かな掃除環境を作ることができる。
【００１８】
第三、騒音低減ユニットにより、集塵空気が連結通路の後壁に直接的に衝突して発生する衝撃および圧力による騒音が低減され、静かな掃除環境を作ることができる。
【発明を実施するための最良の形態】
【００１９】
以下、添付の図面を参照して本発明の好適な実施例を詳述する。
【実施例】
【００２０】
図１を参照するに、本発明の実施例に係る吸入口組立体２００が適用された真空掃除機１００は、真空源（図示省略）が内蔵された掃除機本体１１０、前記真空源（図示省略）から発生した真空力で被掃除面の塵埃を吸入する吸入口組立体２００、および吸入口組立体２００と連結されて吸入口組立体２００で吸入された塵埃を掃除機本体１１０に案内する延長流路１２０を含む。延長流路１２０は、吸入口組立体２００に回動可能に連結される延長管コネクタ１２６、延長管コネクタ１２６に連結される延長管１２４、および一端が前記延長管１２４に連結され、他端が前記掃除機本体１１０に連結される吸入ホース１２２を含む。
【００２１】
図２および図３を参照するに、本発明の一実施例に係る吸入口組立体２００は、下部ハウジング２１０と、上部ハウジング２５０と、騒音低減ユニット３００とを含む。
【００２２】
前記下部ハウジング２１０には、被掃除面上の塵埃を吸入するための第１の吸入口２１１と第２の吸入口２１２とが互いに離間して形成される。
【００２３】
第１の吸入口２１１は、分離壁２１３から右側に所定間隔だけ離間して下部ハウジング２１０の底面に形成され、第２の吸入口２１２は、分離壁２１３から左側に所定間隔で離間して下部ハウジング２１０の底面に形成される。
【００２４】
このような第１の吸入口２１１および第２の吸入口２１２で吸入力が均一に吸入口組立体２００の中央部Ｍおよび両側部Ｓに伝達されることで、矢印Ｑ１方向に中央部Ｍに流入される集塵空気と、矢印Ｑ２、Ｑ３方向に吸入口組立体２００の両側部Ｓに流入される集塵空気とが、全て円滑に吸入口組立体２００内に流入されるようになる。
【００２５】
これによって、中央部Ｍに吸入口が１つ形成された既存の吸入口組立体に比べて両側部Ｓにおける掃除を効率良く行うことができ、中央部Ｍにおける掃除効率をも向上し、より広い被掃除面を掃除することが可能である。そして、本実施例では、第１の吸入口２１１および第２の吸入口２１２は、半円形の形状を有するが、楕円形、三角形など、さまざまな形状に変形することができる。
【００２６】
なお、掃除効率をより高くするため、下部ハウジング２１０に第１、第２の下部開口２１６、２１７および第１、第２の塵埃移動チャネル２１４、２１５を形成し、上部カバー２３０には、第１、第２の上部開口２３１、２３２を形成することができる。
【００２７】
第１の下部開口２１６は、分離壁２１３から右側に近接するように下部ハウジング２１０の底面に形成し、第２の下部開口２１７は、分離壁２１３から左側に近接するように下部ハウジング２１０の底面に形成される。
【００２８】
このような第１の下部開口２１６および第２の下部開口２１７は、長方形状として示されているが、楕円形、三角形など、種々の形状に変形することができる。なお、形状位置については、第１の吸入口２１１と第２の吸入口２１２の位置を考慮して種々に変更することができる。
【００２９】
第１の塵埃移動チャネル２１４は、分離壁２１３の右側に第１の下部開口２１６と第１の吸入口２１１を通りながら下部ハウジング２１０の右側面２１０ｂまで延びる下部ハウジング２１０の底面に形成される通路であり、第２の塵埃移動チャネル２１５は、分離壁２１３の左側に第２の下部開口２１７と第２の吸入口２１２を通りながら下部ハウジング２１０の左側面２１０ｃまで延びる下部ハウジング２１０の底面に形成される通路である。
【００３０】
前述のような構成により、矢印Ｆ１、Ｆ２方向に第１の上部開口２３１および第２の上部開口２３２に流入された外部空気が密閉された吸入口組立体２００（図１参照）の内部を通って矢印Ｆ３、Ｆ４方向に第１の下部開口２１６および第２の下部開口２１７を介して下部ハウジング２１０の底面に誘導される。
【００３１】
このように誘導された外部空気は、第１の塵埃移動チャネル２１４と第２の塵埃移動チャネル２１５との間に溜まった塵埃を飛散させ、飛散された塵埃を含む集塵空気は、矢印Ｆ３、Ｆ４方向に第１の塵埃移動チャネル２１４と第２の塵埃移動チャネル２１５に沿って第１の吸入口２１１および第２の吸入口２１２に吸入される。従って、第１の塵埃移動チャネル２１４と第２の塵埃移動チャネル２１５に溜まった塵埃が容易に吸収され、掃除効率が一層向上する。
【００３２】
図２および図４を参照するに、上部ハウジング２５０は、流路カバー２２０および上部カバー２３０で構成される。ここで、上部ハウジング２５０は、図面のように別に構成された流路カバー２２０および上部カバー２３０で構成することができるが、場合によっては、流路カバー２２０および上部カバー２３０を一体にして構成することもできる。
【００３３】
前記流路カバー２２０は、下部ハウジング２１０と結合され、第１の吸入口２１１と第２の吸入口２１２との連結通路を形成する。
【００３４】
即ち、流路カバー２２０により連結通路２２１の上壁が形成され、下部ハウジング２１０により連結通路２２１の底と連結通路２２１の後壁２１０ｄが形成される。
【００３５】
このような流路カバー２２０は、吸入された空気の流動方向に垂直な断面がアーチ形状を有し、図２の矢印Ｘ１方向から見て長手方向に曲げられたＵ字形の形状を有する。このとき、流路カバー２２０の高さは、中央において最高高さ（Ｈ１）を持ち、左右に行くほど高さが低くなる。
【００３６】
なお、流路カバー２２０の材質については、外部から吸入された塵埃の流動を観察して塵埃捕集現象を確認することができるように透明な材質で形成することが好ましい。
【００３７】
図２を参照するに、前記上部カバー２３０は、吸入口組立体２００内部に密閉された空間を形成するように流路カバー２２０の上側で下部ハウジング２１０と結合され、上部カバー２３０には、外気が流入されるように第１の上部開口２３１と第２の上部開口２３２が貫通形成される。このように密閉形成された空間を介して第１の上部開口２３１および第２の上部開口２３２に流入された外気が第１および第２の下部開口２１６、２１７（図３参照）から出るようになる。
【００３８】
そして、上部カバー２３０には、流路カバー２２０が吸入口組立体２００の外部に現れるように流路カバー２２０の形状に対応する形状に設けられた切開部２１４が形成され、このような切開部２１４を介して流路カバー２２０が外部に露出される。
【００３９】
本実施例では、第１、第２の上部開口２３１、２３２がスリット状に形成されているが、このような形状の他に、複数のホールが貫通形成されることもでき、また、第１、第２の上部開口２３１、２３２に遮蔽部材を設け、空気流入時にのみ開放されるように構成することもできる。
【００４０】
図２および図４を参照するに、連結通路２２１の後壁２１０ｄの中心には、空気排出口２１０ｅが形成され、このような空気排出口２１０ｅには、延長管コネクタ１２６（図１参照）が回動可能に連結される。
【００４１】
このような空気排出口２１０ｅに第１の吸入口２１１から矢印Ｑ５に沿って流入された集塵空気および第２の吸入口２１２から矢印Ｑ６に沿って流入された集塵空気が集まる。
【００４２】
なお、第１の吸入口２１１および第２の吸入口２１２から流入された集塵空気が空気排出口２１０ｅに一緒に集まって延長管コネクタ１２６から出る時、流速増加および相互衝突による渦流で騒音が発生し、また、後壁２１０ｄとの直接的な衝突および圧力で騒音が発生する。
【００４３】
図２を参照するに、これを防止するため、連結通路２２１には、第１および第２の騒音低減リブ３１０、３２０、第１および第２の吸音部材３３０、３４０で構成された騒音低減ユニット３００が設けられている。
【００４４】
第１および第２の騒音低減リブ３１０、３２０は、互いに対称形状を有し、連結通路２２１を中心に対称的に設けられ、アクリルのようなプラスティック材質で形成される。その他に、ガラス、金属など、さまざまな材質で構成することができるのはいうまでも無い。
【００４５】
以下、第１および第２の騒音低減リブ３１０、３２０は、対称となっている点を除いては同様な形状を有するため、第１および第２の騒音低減リブ３１０、３２０の詳細な説明は、説明の便宜のため、図５および図６に示された第１の騒音低減リブ３１０を代表して説明する。
【００４６】
第１の騒音低減リブ３１０は、空気排出口２１０ｅの右側方向である矢印Ｒ方向に連結通路２２１の後壁２１０ｄに沿って設けられる。
【００４７】
このように第１の騒音低減リブ３１０を連結通路２２１の後壁２１０ｄに沿って設ける理由は、第１の吸入口２１１から連結通路２２１に流れ込む集塵空気が連結通路２２１の曲がった形状で連結通路２２１の後壁２１０ｄ方向に偏って流れるようになるため、このような後壁２１０ｄに沿って第１の騒音低減リブ３１０を設ける構成をとることで、より多量の集塵空気と接触するようになり、騒音をより効果的に低減させることができるためである。
【００４８】
なお、図５を参照するに、第１の騒音低減リブ３１０と連結通路２２１の後壁２１０ｄとの間には第１の吸音部材３３０が挿設される。
【００４９】
図２に示されたように、このような第１の騒音低減リブ３１０は、空気排出口２１０ｅの右側方向である矢印Ｒ方向に行くほど高さ（Ｈ２）が低くなり、第１の吸入口２１１方向に曲がった形状を有する。
【００５０】
このような形状は、流路カバー２２０の高さ変化および連結通路２２１の後壁２１０ｄの形状変化を考慮したもので、これによって、第１の騒音低減リブ３１０は、連結通路２２１上に適宜に設けることができ、集塵空気は、第１の騒音低減リブ３１０による抵抗をより少なく受けながら連結通路２２１を通ることができる。
【００５１】
なお、図５を参照するに、第１の騒音低減リブ３１０は、第１の吸入口２１１から空気排出口２１０ｅまでの集塵空気の流れ方向であるＱ５方向に垂直線に対してθ１だけ傾斜した第１の櫛状孔３１０ａが複数設けられている。このとき、傾斜角（θ１）は、４０°以上７０°以下であることが好ましい。
【００５２】
このような角度（θ１）は、連結通路２２１を通る集塵空気が直接的に第１の櫛状孔３１０ａに流れ込むのを防止する。即ち、集塵空気が矢印Ｑ５方向に連結通路２２１を通る時に間接的に矢印Ｑ８方向に第１の櫛状孔３１０ａへ流れ込むことができ、矢印Ｑ５方向に流れる集塵空気のメインフローが乱れるのを防止する。
【００５３】
そして、第１の櫛状孔３１０ａは、第１の櫛状孔３１０ａの相互間隔（Ｄ１）の０．５倍乃至１．０倍の幅（Ｗ１）を有することが好ましい。このような幅（Ｗ１）を有する第１の櫛状孔３１０ａにより一定量の集塵空気が収容されることができる。
【００５４】
図２および図７を参照するに、第１の吸音部材３３０は、第１の騒音低減リブ３１０と連結通路２２１の後壁２１０ｄとの間に設けられるように、空気排出口２１０ｅの右側方向である矢印Ｒ方向に行くほど高さ（Ｈ５）が低くなり、第１の吸入口２１１方向に曲がった形状を有する。
【００５５】
このような第１の吸音部材３３０は、第１の騒音低減リブ３１０により低減された騒音を再度低減させる役割を果たし、このために騒音を吸収可能な材質であるスポンジ、一般のフィルタ材質、フォーム（ｆｏａｍ）などのような多孔性材質で形成される。
【００５６】
以下、後壁２１０ｄと第１の吸音部材３３０と第１の騒音低減リブ３１０との連結関係を説明する。
【００５７】
図２、図５および図７を参照するに、先ず、第１の吸音部材３３０の後面３３０ｂを連結通路２２１の後壁２１０ｄに接着剤で付着させる。次いで、第１の吸音部材３３０の前面３３０ａに第１の騒音低減リブ３１０を接着剤で付着させることで第１の騒音低減リブ３１０および第１の吸音部材３３０の連結通路２２１上への設置を完了する。
【００５８】
但し、このような第１の吸音部材３３０は、必ず必要ではなく、場合によっては省略することができる。この第１の吸音部材３３０が省略される場合は、第１の騒音低減リブ３１０は、連結通路２２１の後壁２１０ｄに接着剤を用いて直接付着させることもできる。また、設置のために必ず接着剤を使用する必要はなく、場合によっては、ネジ、溶接などを用いることもできる。
【００５９】
図２および図４を参照するに、第２の騒音低減リブ３２０は、空気排出口２１０ｅの左側方向である矢印Ｌ方向に連結通路２２１の後壁２１０ｄに沿って設けられる。そして、第２の騒音低減リブ３２０と連結通路２２１の後壁２１０ｄとの間には、第２の吸音部材３４０が挿設される。
【００６０】
このような第２の騒音低減リブ３２０は、空気排出口２１０ｅの左側方向である矢印Ｌ方向に行くほど高さ（Ｈ３）が低くなり、第２の吸入口２１２方向に曲がった形状を有する。
【００６１】
このような第２の騒音低減リブ３２０の形状および第２の騒音低減リブ３２０を連結通路２２１の後壁２１０ｄに沿って設ける理由については、第１の騒音低減リブ３１０に関する説明と同様であるため、詳細な説明を省略する。
【００６２】
なお、第２の騒音低減リブ３２０は、第２の吸入口２１２から空気排出口２１０ｅまでの集塵空気の流れ方向であるＱ６方向に垂直線に対してθ２だけ傾斜した第２の櫛状孔３２０ａが複数設けられている。このとき、傾斜角（θ２）は、４０°以上７０°以下であることが好ましい。
【００６３】
このような角度（θ２）は、連結通路２２１を通る集塵空気が直接的に第２の櫛状孔３２０ａに流れ込むのを防止する。即ち、集塵空気が矢印Ｑ６方向に連結通路２２１を通る時に間接的に矢印Ｑ９方向に第２の櫛状孔３２０ａへ流れ込むことができ、矢印Ｑ６方向に流れる集塵空気のメインフローが乱れるのを防止する。
【００６４】
そして、第２の櫛状孔３２０ａは、第２の櫛状孔３２０ａの相互間隔（Ｄ２）の０．５倍乃至１．０倍の幅（Ｗ２）を有することが好ましい。このような幅（Ｗ２）を有する第２の櫛状孔３２０ａにより一定量の集塵空気が収容されることができる。
【００６５】
図２を参照するに、第２の吸音部材３４０は、第２の騒音低減リブ３２０と連結通路２２１の後壁２１０ｄとの間に設けられるように、空気排出口２１０ｅの左側方向である矢印Ｌ方向に行くほど高さ（Ｈ６）が低くなり、第２の吸入口２１２方向に曲がった形状を有する。
【００６６】
このような第２の吸音部材３４０は、第２の騒音低減リブ３２０により低減された騒音を再度低減させる役割を果たし、このために騒音を吸収可能な材質であるスポンジ、一般のフィルタ材質、フォーム（ｆｏａｍ）などのような多孔性材質で形成される。
【００６７】
なお、後壁２１０ｄと第２の吸音部材３４０と第２の騒音低減リブ３２０との連結関係は、前述の、後壁２１０ｄと第１の吸音部材３３０と第１の騒音低減リブ３１０との連結関係と同様であるため、詳細な説明を省略する。
【００６８】
以下、本発明の実施例に係る吸入口組立体２００が採用された真空掃除機１００の動作について説明する。
【００６９】
図１を参照するに、掃除機本体１１０に内蔵された真空源（図示省略）から発生した吸入力は、吸入ホース１２２、延長管１２４、延長管コネクタ１２６を介して吸入口組立体２００に伝達される。
【００７０】
図２および図４を参照するに、吸入口組立体２００に伝達された吸入力は、矢印Ｑ５およびＱ６方向の逆方向に、第１の吸入口２１１および第２の吸入口２１２に伝達される。
【００７１】
このように伝達された吸入力により、矢印Ｑ１方向に吸入口組立体２００の中央部Ｍに流入される集塵空気と、矢印Ｑ２、Ｑ３方向に吸入口組立体２００の両側部Ｓに流入される集塵空気とが、第１の吸入口２１１および第２の吸入口２１２に流入される。
【００７２】
また、図２乃至図４を参照するに、第１の吸入口２１１および第２の吸入口２１２に伝達された吸入力は、第１の塵埃移動チャネル２１４および第２の塵埃移動チャネル２１５に沿って第１の下部開口２１６および第２の下部開口２１７にそれぞれ伝達される。
【００７３】
第１の下部開口２１６および第２の下部開口２１７に伝達された吸入力は、上部カバー２３０と下部ハウジング２１０との結合により形成された内部の密閉空間を介して第１、第２の上部開口２３１、２３２に伝達される。このように伝達された吸入力により外部の空気は矢印Ｆ１、Ｆ２方向に第１の上部開口２３１および第２の上部開口２３２を介して流入される。
【００７４】
また、第１の上部開口２３１および第２の上部開口２３２を介して流入された空気は、上部カバー２３０と下部ハウジング２１０との結合により形成された内部の密閉空間を経て第１の下部開口２１６および第２の下部開口２１７を通過しながら、被掃除面と衝突して第１の塵埃移動チャネル２１４と第２の塵埃移動チャネル２１５に溜まった塵埃を飛散させる。
【００７５】
このように飛散された塵埃を含む集塵空気は、矢印Ｆ３、Ｆ４方向に第１、第２の塵埃移動チャネル２１４、２１５を通過した後、第１の吸入口２１１および第２の吸入口２１２に流入される。
【００７６】
図４を参照するに、Ｑ１、Ｑ２、Ｑ３、Ｆ３、Ｆ４方向から第１の吸入口２１１および第２の吸入口２１２に流入された集塵空気は、矢印Ｑ５およびＱ６に沿って第１および第２の騒音低減リブ３１０、３２０および第１および第２の吸音部材３３０、３４０で構成された騒音低減ユニット３００が設けられた連結通路２２１を通るようになる。
【００７７】
このとき、集塵空気が矢印Ｑ８およびＱ９方向に第１および第２の騒音低減リブ３１０、３２０に形成された第１および第２の櫛状孔３１０ａ、３２０ａに流れ込むことができ、集塵空気が量的に分散される。
【００７８】
また、このような第１および第２の櫛状孔３１０ａ、３２０ａにより集塵空気の第１および第２の騒音低減リブ３２０との衝突時に衝撃および圧力が分散される。
【００７９】
従って、従来とは異なり、集塵空気が空気排出口２１０ｅに一緒に集まって連結通路２２１の後壁２１０ｄに直接的に衝突して発生する騒音が低減される。また、このような騒音低減効果は、第１および第２の吸音部材２１６、２１７により一層向上する。
【００８０】
具体的な実験データによれば、騒音低減ユニット３００を備えるものが、騒音低減ユニット３００を備えなていないものに比べて、全騒音レベルが、７４．５ｄＢ（Ａ）から７３．０ｄＢ（Ａ）へ、１．５ｄＢ（Ａ）分だけ低減される。従って、騒音低減ユニット３００を備える場合が、騒音低減ユニット３００を備えない場合に比べて騒音の低減効果が優れていることがわかる。
【００８１】
図１および図２を参照するに、次いで、集塵空気は、空気排出口２１０ｅに集まった後、延長管コネクタ１２６、延長管１２４、吸入ホース１２２を経て掃除機本体１１０に移動されることで、塵埃は集塵され、塵埃と分離された浄化空気は、外部に排出される。
【００８２】
以上、本発明の好適な実施例を挙げて説明してきたが、本発明は、その精神または主要な特徴から逸脱することなく、他のいろいろな形で実施することができる。そのため、上述の実施の形態は、あらゆる点で単なる例示にすぎず、限定的に解釈してはならない。本発明の範囲は特許請求の範囲によって示すものであって、明細書本文には、なんら拘束されない。さらに、特許請求の範囲の均等範囲に属する変形や変更は、全て本発明の範囲内のものである。
【産業上の利用可能性】
【００８３】
本発明に係る真空掃除機の吸入口組立体は、キャニスター型、ドラム型、アップライト型、スティック型、ハンディ型、ロボット型掃除機のいずれにも適用可能である。
【図面の簡単な説明】
【００８４】
【図１】本発明の実施例に係る吸入口組立体が採用された真空掃除機の概略図である。
【図２】図１の吸入口組立体の分解斜視図である。
【図３】図１の吸入口組立体の背面図である。
【図４】図１の吸入口組立体の平面図である。
【図５】図４の第１の騒音低減リブおよび第１の吸音部材を拡大した平面図である。
【図６】図４の第１の騒音低減リブを拡大した斜視図である。
【図７】図４の第１の吸音部材を拡大した斜視図である。
【符号の説明】
【００８５】
１００    真空掃除機
１１０    掃除機本体
２００    吸入口組立体
２１０    下部ハウジング
２１０ｄ    後壁
２１０ｅ    空気排出口
２１１、２１２    第１および第２の吸入口
２１６、２１７    第１および第２の下部開口
２２０    流路カバー
２２１    連結通路
２３０    上部カバー
２３１、２３２    第１および第２の上部開口
２５０    上部ハウジング
３００    騒音低減ユニット
３１０、３２０    第１および第２の騒音低減リブ
３１０ａ、３２０ａ    第１および第２の櫛状孔
３３０、３４０    第１および第２の吸音部材
【図１】
2006130290.tif 000003
【図２】
2006130290.tif 000004
【図３】
2006130290.tif 000005
【図４】
2006130290.tif 000006
【図５】
2006130290.tif 000007
【図６】
2006130290.tif 000008
【図７】
2006130290.tif 000009